(57)【要約】【課題】  消火後の火災現場において効率的かつ精密に火元位置や火災原因の特定を行うことができる火元検出装置を提供する。【解決手段】  火災現場での火元特定に用いる火元検出装置であって、空気中に含まれる揮発した有機化合物を検出する有機化合物検出器１１と、同有機化合物検出器１１の吸引口１１ａに一端を接続した延長用チューブ１２と、同延長用チューブ１２の他端に接続した吸引用治具１３とから構成し、吸引用治具１３にはフィルタ１４を配設し、フィルタ１４でフィルタリングした空気を有機化合物検出器１１で吸引するように火元検出装置１０を構成する。【選択図】図１
2005043288.tif 000002
【特許請求の範囲】
【請求項１】
火災現場での火元特定に用いる火元検出装置であって、
空気中に含まれる揮発した有機化合物を検出する有機化合物検出器と、
同有機化合物検出器の吸引口に一端を接続した延長用チューブと、
同延長用チューブの他端に接続した吸引用治具とから構成し、
吸引用治具にはフィルタを配設し、フィルタでフィルタリングした空気を有機化合物検出器で吸引するように構成したことを特徴とする火元検出装置。
【請求項２】
前記吸引用治具は、延長用チューブが接続される接続部と、同接続部と連結する中空筒状のハンドル部と、同ハンドル部先端に設けた吸引ガイド部とから構成し、接続部とハンドル部との連結部分にフィルタを装着すべく構成したことを特徴とする請求項１記載の火元検出装置。
【請求項３】
前記吸引ガイド部は、先端に向けて拡開状とした漏斗形状としたことを特徴とする請求項２記載の火元検出装置。
【請求項４】
前記吸引ガイド部は、ハンドル部よりも細径とした中空筒状体であって、先端部を閉塞するとともに、先端部近傍の吸引ガイド部周面に先端吸引口を設けたことを特徴とする請求項２記載の火元検出装置。
【請求項５】
前記有機化合物検出器の排気口には、排気をサンプリングするためのサンプリング装置を着脱自在に装着可能としたことを特徴とする請求項１〜４のいずれか１項に記載の火元検出装置。
【発明の詳細な説明】
【技術分野】
【０００１】
本発明は、火災現場での消火活動後の現場検証において火元を特定するために用いる火元検出装置に関するものである。
【背景技術】
【０００２】
従来、火災が起きた場合には、消火活動後に火元の特定作業が行われている。この火元の特定作業を行う場合には、焼残りの状態から最も激しく焼けた領域を火元領域として特定し、この火元領域において火元と思われる部分の灰を採集して油分の検出を行い、火元の特定及び火災原因の特定を行っている。
【０００３】
また、昨今では、遠赤外線撮像装置によって監視を行い、出荷前に出火原因を見つけ出す火気検出装置も知られており、この火気検出装置によって火元特定を確実に行うことができるとともに、迅速な消火活動を可能ともしている（例えば、特許文献１参照。）。
【特許文献１】特開２０００−１３２７６３号公報
【発明の開示】
【発明が解決しようとする課題】
【０００４】
しかしながら、灰から油分の検出を行って火元を特定する場合には、少なくとも数十ｐｐｍ以上の濃度の油分を検出することが必要であり、検出精度が十分ではなく、油分からの火元特定が容易でなく、火元特定に寄与することが困難であるという問題があった。
【０００５】
また、火気検出装置を用いた場合には確実に火元の特定を行うことはできるものの、火元特定のために火気検出装置を全ての出火の可能性のある場所に設置することは実質的に不可能であり、現実的な解決手段ではなかった。
【０００６】
また、火災現場では多くの粉塵が舞っているために光イオン化検出器などの有機化合物検出器を使用した場合には、吸引される空気などのガスと共に粉塵が吸引されることによって、測定精度が低下して信頼性のあるデータが得られず、有機化合物の精密な検出が不可能となるおそれがあった。
【０００７】
本発明は、このような従来の課題を解決するためになされたもので、消火後の火災現場において効率的かつ精密に火元位置や火災原因の特定を行うことができる火元検出装置を提供することを目的とする。
【課題を解決するための手段】
【０００８】
本発明の火元検出装置は、火災現場での火元特定に用いる火元検出装置であって、空気中に含まれる揮発した有機化合物を検出する有機化合物検出器と、同有機化合物検出器の吸引口に一端を接続した延長用チューブと、同延長用チューブの他端に接続した吸引用治具とから構成し、吸引用治具にはフィルタを配設し、フィルタでフィルタリングした空気を有機化合物検出器で吸引するように構成した。
【０００９】
さらに、本発明は以下の点にも特徴を有するものである。
（１）吸引用治具を、延長用チューブが接続される接続部と、同接続部と連結する中空筒状のハンドル部と、同ハンドル部先端に設けた吸引ガイド部とから構成し、接続部とハンドル部との連結部分にフィルタを装着すべく構成したこと。
（２）吸引ガイド部を、先端に向けて拡開状とした漏斗形状としたこと。
（３）吸引ガイド部を、ハンドル部よりも細径とした中空筒状体とし、先端部を閉塞するとともに、先端部近傍の吸引ガイド部周面に先端吸引口を設けたこと。
（４）有機化合物検出器の排気口に、排気をサンプリングするためのサンプリング装置を着脱自在に装着可能としたこと。
【発明の効果】
【００１０】
請求項１記載の発明によれば、火災現場での火元特定に用いる火元検出装置であって、空気中に含まれる揮発した有機化合物を検出する有機化合物検出器と、同有機化合物検出器の吸引口に一端を接続した延長用チューブと、同延長用チューブの他端に接続した吸引用治具とから構成し、吸引用治具にはフィルタを配設し、フィルタでフィルタリングした空気を有機化合物検出器で吸引するように構成したことによって、吸引用治具を所要の位置に位置させて空気の吸引を行うことにより、所要空間の空気を確実に吸引することができるので、有機化合物検出器で揮発した油分を検出した場合に、検出位置の精度の良い特定を行うことができる。しかも、有機化合物検出器が吸引する空気は、吸引用治具に設けたフィルタでフィルタリングしていることによって、粉塵が有機化合物検出器に吸引されることを防止でき、有機化合物検出器が有機化合物を検出不可能となることなく長時間連続作動させることができるので、短時間で火元の特定作業を終了することができる。
【００１１】
請求項２記載の発明によれば、吸引用治具を、延長用チューブが接続される接続部と、同接続部と連結する中空筒状のハンドル部と、同ハンドル部先端に設けた吸引ガイド部とから構成し、接続部とハンドル部との連結部分にフィルタを装着すべく構成したことによって、フィルタに粉塵による目詰まりが生じた場合には、接続部とハンドル部の着脱を容易に行うことができるので、接続部からハンドル部を離脱させて速やかにフィルタの交換を行うことができる。
【００１２】
請求項３記載の発明によれば、吸引ガイド部を、先端に向けて拡開状とした漏斗形状としたことによって、吸引ガイド部で被覆された空間の空気を効率よく吸引することができ、揮発した油分を検出した場合の検出場所の特定を厳密に行うことができる。
【００１３】
請求項４記載の発明によれば、吸引ガイド部を、ハンドル部よりも細径とした中空筒状体とし、先端部を閉塞するとともに、先端部近傍の吸引ガイド部周面に先端吸引口を設けたことによって、隙間部分に吸引ガイド部を挿入して空気を吸引することができる。特に、中空筒状体の先端部を閉塞するとともに、先端部近傍の吸引ガイド部周面に先端吸引口を設けたことによって、粉塵の吸引を防止しやすくすることができ、粉塵によるフィルタの目詰まりを抑止できる。
【００１４】
請求項５記載の発明によれば、有機化合物検出器の排気口に、排気をサンプリングするためのサンプリング装置を着脱自在に装着可能としたことによって、揮発した有機化合物の確実なサンプリングを行うことができ、サンプリングしたガスから有機化合物の特定を行うことができるので、出火原因及び火元特定を精度良く行うことができる。
【発明を実施するための最良の形態】
【００１５】
本発明の火元検出装置は、空気中に含まれる揮発した有機化合物を検出する有機化合物検出器と、同有機化合物検出器の吸引口に一端を接続した延長用チューブと、同延長用チューブの他端に接続した吸引用治具と、同吸引用治具に配設されたフィルタとを有しているものである。
【００１６】
したがって、火災現場における検証領域において吸引用治具の先端部を所要の位置に配置して、有機化合物検出器に内蔵された吸引ポンプにより空気を吸引し、フィルタで濾過されて余計な粉塵を除去した空気中の揮発性有機物を有機化合物検出器でモニタリングすることにより、有機化合物の有無や含有量を測定できる。
【００１７】
特に、吸引用治具にはフィルタを配設して、フィルタでフィルタリングした空気を有機化合物検出器に吸引させることができるので、検出精度と信頼性の高い特定を行うことができる。しかも、粉塵が有機化合物検出器に直接吸引されるのを防止できるので長時間連続作動させることができ、火元の特定作業を短時間で終了させることができる。
【００１８】
また、本実施の形態の火元検出装置は、その吸引用治具を、延長用チューブが接続される接続部と、同接続部と連結する中空筒状のハンドル部と、同ハンドル部先端に設けた吸引ガイド部とから構成し、これらの連結部分にフィルタを装着するようにしている。
【００１９】
したがって、フィルタに粉塵による目詰まりが生じた場合には、接続部とハンドル部の着脱を容易に行うことができるので、接続部からハンドル部を速やかに離脱させてフィルタの交換を行うことができ、常時信頼性に優れたデータが得られるので火元特定の確実性をさらに高めることができる。
【００２０】
吸引ガイド部を、その先端に向けて拡開状とした漏斗形状に形成した場合には、吸引ガイド部で被覆された灰上の空間部分の空気を効率よく吸引することができ、一度に広範囲の部分からガスを採取して、バラツキの少ないデータを取得できる。さらに、揮発した油分を検出した場合の検出場所の特定を厳密に行うことができる。
【００２１】
また、逆に、吸引ガイド部を、ハンドル部の径よりも細径とした中空筒状体とし、先端部を閉塞するとともに、先端部近傍の吸引ガイド部周面に先端吸引口を設けた場合には、隙間部分や堆積した灰の深部に吸引ガイド部を挿入して空気を吸引することができる。
【００２２】
特に、先端部近傍の吸引ガイド部周面に先端吸引口を設けたことによって、粉塵の吸引を効果的に防止して粉塵によるフィルタの目詰まりを抑止できるので、吸引ガイド部の先端を隙間などに深く挿入して確実なデータを取得することができる。
【００２３】
さらに、有機化合物検出器の排気口に、排気をサンプリングするためのサンプリング装置を着脱自在に装着可能とした場合には、揮発した有機化合物の確実なサンプリングを行うことができる。こうして、サンプリングした排気中の有機化合物の特定を行うことで、出火原因及び火元位置や火元物質の特定を精度良く行うことができる。
【００２４】
この火元検出装置を携帯保持して、火災現場の例えば一直線上に沿ってその吸引用治具の先端を移動させることにより、吸引した空気中に含まれる揮発性の有機化合物の特定や含有量の測定を行うことができる。
【００２５】
このような操作を火災現場で適宜行うことにより測定データを取得して、この有機化合物の分布状態を現場において発熱源となる調理器や暖房器具などのレイアウトと比較、参照することによって、火元位置や火元原因についての情報が取得され、粉塵が舞う火災現場においても確実に火元特定を行うことができる。
【００２６】
続いて、本実施の形態の火元検出装置をさらに具体化した実施例について図面を参照しながら説明する。
【実施例１】
【００２７】
図１は本発明の実施例１に係る火元検出装置の斜視図であり、図２はその吸引用器具の断面図である。
【００２８】
図１において、１０は本実施の形態の火元検出装置、１１は採取した空気中に揮発した有機化合物を検出するための有機化合物検出器、１２は有機化合物検出器１１の吸引口１１ａに一端側を接続した延長用チューブ、１３は延長用チューブ１２の他端側に接続して空気を吸引する吸引用治具、１４は吸引用治具１３内に配設して採取空気中の粉塵などの固形分を除去するためのフィルタである。
【００２９】
火元検出装置１０は、吸引用治具１３を介して火災現場において空気を採取して、そのサンプリングした空気中に含まれる有機化合物の揮発分を有機化合物検出器１１で検出するようにした装置であり、消火活動後の現場検証に携帯して容易に取り扱いができるように全体がコンパクトにしかも軽量に構成している。
【００３０】
有機化合物検出器１１は、採取した空気中の揮発性有機化合物を検出するセンサ部等を備えた装置である。
【００３１】
有機化合物検出器１１の吸引口１１ａに接続する延長用チューブ１２は、テトラフロロエチレン樹脂製としている。
【００３２】
吸引用治具１３は、図２に示すように、その先端側を漏斗状に拡開して形成した吸引ガイド部１３ａと、吸引ガイド部１３ａに接続した中空筒状のハンドル部１３ｂと、その一端部をハンドル部１３ｂに接続するとともにその他端部を延長用チューブ１２に接続した円錐状の接続部１３ｃとから構成している。
【００３３】
吸引ガイド部１３ａはステンレススチール製やスチール製などのものが適用でき、その漏斗状の先端開口径（円錐状の底部）を約５〜１５ｃｍ、その奥行き（円錐状の高さ）を約２〜７ｃｍに形成して、円錐状の頂部をねじ部を介してハンドル部１３ｂに連結している。このように吸引ガイド部１３ａを構成することによって、消火活動にともなって大量に存在している水分の吸引を防止する一方で、多少の段差があっても確実に空気の吸引を行うことができ、揮発成分の検出領域をピンポイントで特定することができる。
【００３４】
ハンドル部１３ｂはステンレススチール製やスチール製などの金属製であって、その全長が約１０ｃｍ、内径が１．５ｃｍの略円筒状に形成して把持しやすい大きさとしている。そして、ハンドル部１３ｂの一端側には前記吸引ガイド部１３ａを螺合し、その他端側に略コーン状の接続部１３ｃの拡径部を着脱可能に取り付けている。
【００３５】
有機化合物検出器１１に内蔵された図示しない吸引ポンプ部によって、この吸引ガイド部１３ａから空気の吸引を行っている。そして、吸引した空気中の粉塵などの固形分は、ハンドル部１３ｂと接続部１３ｃとの連結部分に配設したフィルタ１４でフィルタリングし、清浄化した空気を延長用チューブ１２を介して有機化合物検出器１１に導入するようにしている。なお、有機化合物検出器１１で測定された後の空気は、有機化合物検出器１１の排気孔１１ｂから外部に排出するようにしている。
【００３６】
フィルタ１４は、多数の連通孔を有して気流透過性の合成樹脂製スポンジ体や、不織布、パルプなどの濾布から構成したフィルタ体１４ａを、略円筒状としたフォルダ１４ｂ内に装着して構成している。特に、フォルダ１４ｂは、接続部１３ｃのハンドル部１３ｂとの接続部分内部に内設可能として、接続部１３ｃへのハンドル部１３ｂの装着にともなって、ハンドル部１３ｂ端部によって固定支持するようにしている。そして、ハンドル部１３ｂを接続部１３ｃから離脱させることによって、フィルタ１４を容易に交換可能としている。
【００３７】
また、フィルタ１４は、図３に示すように装着することもできる。すなわち、図３に示す吸引用治具１３’では、接続部１３ｃ’の内面に所要の間隔を隔てて第１内側フランジ１３ｄと第２内側フランジ１３ｅとを設け、第１内側フランジ１３ｄと第２内側フランジ１３ｅとの間にフィルタ１４’を固定している。
【００３８】
特に、第１内側フランジ１３ｄよりもハンドル部１３ｂ側に設けた第２内側フランジ１３ｅは、第１内側フランジ１３ｄよりも突出量を小さくして、フィルタ１４’の出入作業を容易に行うことができるようにしている。ここで、フィルタ１４’には可撓性の高い素材を使用している。
【００３９】
図４に示すように、有機化合物検出器１１の排気口１１ｂには、サンプリング装置１５を着脱自在に装着可能としており、同サンプリング装置１５によって排気をサンプリングするようにしている。
【００４０】
サンプリング装置１５には、排気中の特定成分を吸着するための濾過体１５ａを収容して有機化合物検出器１１の排気口１１ａに嵌合可能としている。
【００４１】
濾過体１５ａは、有機化合物を吸着可能とした吸着剤あるいは保持可能とした保持材等で構成しており、有機化合物検出器１１が有機化合物を検出した場合に、サンプリング装置１５を有機化合物検出器１１に装着して、有機化合物検出器１１が確実に有機化合物を検出している状態でサンプリング装置１５への排気のサンプリングを行うことによって、確実なサンプリングを行うことができる。
【００４２】
サンプリングを行ったサンプリング装置１５は、有機化合物検出器１１から取り外して閉塞用キャップ１５ｂ，１５ｃを装着するようにしている。
【００４３】
そして、このサンプリング装置１５を分析施設に持ち込み、濾過体１５ａが吸着あるいは保持した排気の分析を行うことにより、検出した有機化合物の確実な特定を行うことができ、火元特定作業の資料とすることができる。
【実施例２】
【００４４】
実施例２では、実施例１の吸引用治具１３の代わりに、図５及び図６に示す吸引用治具２３を使用するものである。実施例１の吸引用治具１３と実施例２の吸引用治具２３とは有機化合物検出器１１に対して容易に交換可能としている。
【００４５】
本実施例の吸引用治具２３も、吸引ガイド部２３ａと、同吸引ガイド部２３ａに接続した中空筒状のハンドル部２３ｂと、その一端部をハンドル部２３ｂに接続するとともにその他端部を延長用チューブ１２に接続した円錐状の接続部２３ｃとから構成している。ハンドル部２３ｂ及び接続部２３ｃは、実施例１のハンドル部１３ｂ及び接続部１３ｃと同じものであり、吸引ガイド部２３ａのみが実施例１の吸引ガイド部１３ａと異なっており、実施例１の吸引ガイド部１３ａと実施例２の吸引ガイド部２３ａとの交換によって、実施例１の吸引用治具１３と実施例２の吸引用治具２３との交換を行うようにしている。
【００４６】
特に、本実施例では、吸引ガイド部２３ａは、ハンドル部２３ｂからテーパ状に縮径して棒状に伸延させるとともに、その先端部を閉塞している。そして、吸引ガイド部２３ａの先端部近傍の周面に複数個の先端吸引口２３ｆを設けた中空筒状体としている。
【００４７】
このように吸引ガイド部２３ａを構成することによって、隙間部分に吸引ガイド部２３ａを挿入して空気を吸引することができる。特に、中空筒状体の先端部を閉塞するとともに、先端部近傍の吸引ガイド部２３ａ周面に先端吸引口２３ｆを設けたことによって、粉塵の吸引を防止しやすくすることができ、粉塵によるフィルタ２４の目詰まりを抑止できる。
【００４８】
フィルタ２４は、第１実施例のフィルタ１４と同様に、ハンドル部２３ｂと接続部２３ｃとの連結部分に配設している。フィルタ２４は、第１実施例のフィルタ１４と同様に、多数の連通孔を有して気流透過性の合成樹脂製スポンジ体や、不織布、パルプなどの濾布から構成したフィルタ体２４ａを、略円筒状としたフォルダ２４ｂ内に装着して構成している。特に、フォルダ２４ｂは、接続部２３ｃのハンドル部２３ｂとの接続部分内部に内設可能として、接続部２３ｃへのハンドル部２３ｂの装着にともなって、ハンドル部２３ｂ端部によって固定支持するようにしている。そして、ハンドル部２３ｂを接続部２３ｃから離脱させることによって、フィルタ２４を容易に交換可能としている。
【００４９】
また、フィルタ２４は、図７に示すように装着することもできる。すなわち、図８に示す吸引用治具２３’では、接続部２３ｃ’の内面に所要の間隔を隔てて第１内側フランジ２３ｄと第２内側フランジ２３ｅとを設け、第１内側フランジ２３ｄと第２内側フランジ２３ｅとの間にフィルタ２４’を固定している。
【００５０】
特に、第１内側フランジ２３ｄよりもハンドル部２３ｂ側に設けた第２内側フランジ２３ｅは、第１内側フランジ２３ｄよりも突出量を小さくして、フィルタ２４’の出入作業を容易に行うことができるようにしている。ここで、フィルタ２４’には可撓性の高い素材を使用している。
【図面の簡単な説明】
【００５１】
【図１】本発明に係る火元検出装置の使用形態説明図である。
【図２】同火元検出装置の吸引用器具の断面図である。
【図３】同火元検出装置の吸引用器具の変容例断面図である。
【図４】本発明に係る火元検出装置の使用形態説明図である。
【図５】実施例２の吸引用器具の斜視図である。
【図６】実施例２の吸引用器具の断面図である。
【図７】実施例２の変容例の吸引用器具の断面図である。
【符号の説明】
【００５２】
１０    火元検出装置
１１    有機化合物検出器
１１ａ  吸引口
１１ｂ  排気孔
１２    延長用チューブ
１３    吸引用治具
１３ａ  吸引ガイド部
１３ｂ  ハンドル部
１３ｃ  接続部
１４    フィルタ
【図１】
2005043288.tif 000003
【図２】
2005043288.tif 000004
【図３】
2005043288.tif 000005
【図４】
2005043288.tif 000006
【図５】
2005043288.tif 000007
【図６】
2005043288.tif 000008
【図７】
2005043288.tif 000009